(57)【要約】【課題】アシストＧＰＳモジュールを搭載する無線基地局に設置場所情報を書き込む必要が無く、またアシストＧＰＳモジュールを搭載する無線基地局の設置場所が変更された場合でも誤動作しないようにすることができる無線基地局システム、無線基地局および時刻取得方法を提供する。【解決手段】無線基地局２は、アシストサーバ３から受信したアシストデータに基づいて、ＧＰＳ衛星からの軌道情報を受信し、受信した軌道情報と、データサーバから受信した第１の位置情報と、ＮＴＰサーバ５から受信した第１の時刻情報とを用いて、第１の時刻情報よりも高精度な時刻を表わす第２の時刻情報を生成するＧＰＳモジュールを有する。【選択図】図１
2013030917.tif 000002
【特許請求の範囲】
【請求項１】
無線基地局と、
無線基地局の設置位置を表わす第１の位置情報を無線基地局へ送信する第１のサーバと、
衛星位置座標システムから受信した軌道情報をアシストデータとして無線基地局へ送信する第２のサーバと、
現在の概略時刻を表わす第１の時刻情報を無線基地局へ送信する第３のサーバとを備えた無線通信システムであって、
前記無線基地局は、
前記第２のサーバから受信したアシストデータに基づいて、衛星位置座標システムからの軌道情報を受信し、前記受信した軌道情報と、前記第１のサーバから受信した第１の位置情報と、前記第３のサーバから受信した第１の時刻情報とを用いて、前記第１の時刻情報よりも高精度な時刻を表わす第２の時刻情報を生成するモジュールを有する、無線基地局システム。
【請求項２】
前記無線基地局は、
自局のＩＤを第１の装置のＩＤとして送信し、隣接基地局のＩＤを第２の装置のＩＤとして前記第１のサーバへ送信する通信部を備え、
前記第１のサーバは、
無線基地局ごとに設置位置を表わす情報を記憶する記憶部と、
前記第１の装置のＩＤと前記第２の装置のＩＤを受信したときに、前記記憶部に第１の装置の設置位置を表わす情報が登録されておらず、第２の装置の設置位置を表わす情報が登録されている場合には、前記第２の装置の設置位置を表わす情報を前記第１の位置情報として特定する位置管理部とを備える、請求項１記載の無線基地局システム。
【請求項３】
前記無線基地局は、
自局のＩＤを第１の装置のＩＤとして送信し、隣接基地局のＩＤを第２の装置のＩＤとして前記第１のサーバへ送信する通信部を備え、
前記第１のサーバは、
無線基地局ごとに設置位置を表わす情報を記憶する記憶部と、
前記第１の装置のＩＤと前記第２の装置のＩＤを受信したときに、前記記憶部に第１の装置の設置位置を表わす情報と前記第２の装置の設置位置を表わす情報とが登録されているときに、前記第１の装置の設置位置と前記第２の装置の設置位置の距離が所定値以下の場合には、前記第１の装置の設置位置を表わす情報を前記第１の位置情報として特定する位置管理部とを備える、請求項１記載の無線基地局システム。
【請求項４】
前記無線基地局は、
自局のＩＤを第１の装置のＩＤとして送信し、隣接基地局のＩＤを第２の装置のＩＤとして前記第１のサーバへ送信する通信部を備え、
前記第１のサーバは、
無線基地局ごとに設置位置を表わす情報を記憶する記憶部と、
前記第１の装置のＩＤと前記第２の装置のＩＤを受信したときに、前記記憶部に第１の装置の設置位置を表わす情報と前記第２の装置の設置位置を表わす情報とが登録されているときに、前記第１の装置の設置位置と前記第２の装置の設置位置の距離が所定値を超える場合には、前記第２の装置の設置位置を表わす情報を前記第１の位置情報として特定する位置管理部とを備える、請求項１記載の無線基地局システム。
【請求項５】
前記無線基地局は、
自局のＩＤを第１の装置のＩＤとして送信し、隣接基地局のＩＤを第２の装置のＩＤとして前記第１のサーバへ送信する通信部を備え、
前記第１のサーバは、
無線基地局ごとに設置位置を表わす情報を記憶する記憶部と、
前記第１の装置のＩＤと前記第２の装置のＩＤを受信したときに、前記記憶部に第１の装置の設置位置を表わす情報が登録されている場合には、前記第１の設置位置を表わす情報を返信し、前記記憶部に第２の装置の設置位置を表わす情報が登録されている場合には、前記第２の設置位置を表わす情報を返信する通信部とを備え、
前記無線基地局のモジュールは、
第１の装置の設置位置を表わす情報を受信せず、第２の装置の設置位置を表わす情報を受信した場合には、前記第２の装置の設置位置を表わす前記第１の位置情報として用いる、請求項１記載の無線基地局システム。
【請求項６】
前記無線基地局は、
自局のＩＤを第１の装置のＩＤとして送信し、隣接基地局のＩＤを第２の装置のＩＤとして前記第１のサーバへ送信する通信部を備え、
前記第１のサーバは、
無線基地局ごとに設置位置を表わす情報を記憶する記憶部と、
前記第１の装置のＩＤと前記第２の装置のＩＤを受信したときに、前記記憶部に第１の装置の設置位置を表わす情報が登録されている場合には、前記第１の設置位置を表わす情報を返信し、前記記憶部に第２の装置の設置位置を表わす情報が登録されている場合には、前記第２の設置位置を表わす情報を返信する通信部とを備え、
前記無線基地局のモジュールは、
第１の装置の設置位置を表わす情報と第２の装置の設置位置を表わす情報とを受信したときに、前記第１の装置の設置位置と前記第２の装置の設置位置の距離が所定値以下の場合には、前記第１の装置の設置位置を表わす情報を前記第１の位置情報として用いる、請求項１記載の無線基地局システム。
【請求項７】
前記無線基地局は、
自局のＩＤを第１の装置のＩＤとして送信し、隣接基地局のＩＤを第２の装置のＩＤとして前記第１のサーバへ送信する通信部を備え、
前記第１のサーバは、
無線基地局ごとに設置位置を表わす情報を記憶する記憶部と、
前記第１の装置のＩＤと前記第２の装置のＩＤを受信したときに、前記記憶部に第１の装置の設置位置を表わす情報が登録されている場合には、前記第１の設置位置を表わす情報を返信し、前記記憶部に第２の装置の設置位置を表わす情報が登録されている場合には、前記第２の設置位置を表わす情報を返信する通信部とを備え、
前記無線基地局のモジュールは、
第１の装置の設置位置を表わす情報と第２の装置の設置位置を表わす情報とを受信したときに、前記第１の装置の設置位置と前記第２の装置の設置位置の距離が所定値を超える場合には、前記第２の装置の設置位置を表わす情報を前記第１の位置情報として用いる、請求項１記載の無線基地局システム。
【請求項８】
前記無線基地局のモジュールは、衛星位置座標システムから受信した軌道情報に基づいて、自局の設置位置を表わす第２の位置情報を生成し、
前記通信部は、前記第２の位置情報を前記第１のサーバへ送信し、
前記第１のサーバの位置管理部は、受信した前記第２の位置情報に基づいて前記記憶部内の無線基地局の設置位置を表わす情報を作成または更新する、請求項２〜７のいずれか１項に記載の無線基地局システム。
【請求項９】
第１のサーバから無線基地局の設置位置を表わす第１の位置情報を受信し、第２のサーバからをアシストデータを受信し、第３のサーバから現在の概略時刻を表わす第１の時刻情報を受信する通信部と、
前記第２のサーバから受信したアシストデータに基づいて、衛星位置座標システムからの軌道情報を受信し、前記受信した軌道情報と、前記第１のサーバから受信した第１の位置情報と、前記第３のサーバから受信した第１の時刻情報とを用いて、前記第１の時刻情報よりも高精度な時刻を表わす第２の時刻情報を生成するモジュールとを備えた無線基地局。
【請求項１０】
第１のサーバが、無線基地局の設置位置を表わす第１の位置情報を無線基地局へ送信するステップと、
第２のサーバが、衛星位置座標システムから受信した軌道情報をアシストデータとして無線基地局へ送信するステップと、
第３のサーバが、現在の概略時刻を表わす第１の時刻情報を無線基地局へ送信するステップと、
前記無線基地局が、前記第２のサーバから受信したアシストデータに基づいて、衛星位置座標システムからの軌道情報を受信し、前記受信した軌道情報と、前記第１のサーバから受信した第１の位置情報と、前記第３のサーバから受信した第１の時刻情報とを用いて、前記第１の時刻情報よりも高精度な時刻を表わす第２の時刻情報を生成するステップとを備えた、時刻取得方法。
【発明の詳細な説明】
【技術分野】
【０００１】
本発明は、無線基地局システム、無線基地局、および時刻取得方法に関し、特にアシストＧＰＳモジュールを有する無線基地局、そのような無線基地局を含む無線基地局システム、およびそのような無線基地局における同期のための時刻取得方法に関する。
【背景技術】
【０００２】
無線基地局は送受信のタイミングをそろえるために、タイミング取得器としてＧＰＳモジュールを備えている。ＧＰＳモジュールは、ＧＰＳアンテナを介して天空にある複数のＧＰＳ衛星からの情報を取得し、その情報から正しい場所および時間を算出し、それによりタイミング信号を出力している。
【０００３】
正しいタイミング信号を作成するためには４個以上のＧＰＳ衛星からの情報が必要であり、またその情報も正確なものが求められる。そのため、ＧＰＳアンテナは一般的に屋外の天空の見通しの良い場所に設置される。
【０００４】
ＧＰＳモジュールが設置された場所でＧＰＳ衛星が幾つ受信できるかを算出する方法が特許文献１（特開平８−２８５９３３号公報）に記載されている。この方法を使用すると、任意の時間に可視できるＧＰＳ衛星数を計算することができる。
【０００５】
しかし、設置する全ての場所で天空の見通しが良いとは限らない。屋内用無線基地局の場合は、屋内にＧＰＳアンテナを設置することになるため、ある角度内しか見ることができず、全天空を見ることは不可能である。そのため、無線基地局は、アシスト方式と呼ばれる方式に対応したＧＰＳモジュール（以下、アシストＧＰＳモジュール）を使用することがある。
【０００６】
ところで、アシストＧＰＳモジュールには、無線基地局の設置位置を与える必要がある。
【先行技術文献】
【特許文献】
【０００７】
【特許文献１】特開平８−２８５９３３号公報
【発明の概要】
【発明が解決しようとする課題】
【０００８】
しかしながら、ＧＰＳモジュールに無線基地局の設置位置を与えるために、従来は、無線基地局を設置するとき、または工場出荷時に、不揮発メモリにその基地局の位置情報を書き込む必要があった。
【０００９】
前者の場合には、基地局の設置工事に手間がかかるという問題がある。後者の場合には、基地局の設置場所を予め決めておく必要がある。また、基地局の設置場所を所定距離（たとえば３０ｋｍ）を越えて移動させた場合には、そのままではＧＰＳモジュールが誤動作してしまうので、不揮発メモリ内の位置情報を更新する必要がある。
【００１０】
それゆえに、本発明の目的は、アシストＧＰＳモジュールを搭載する無線基地局に設置場所情報を書き込む必要が無く、またアシストＧＰＳモジュールを搭載する無線基地局の設置場所が変更された場合でも誤動作しないようにすることができる無線基地局システム、無線基地局および時刻取得方法を提供することである。
【課題を解決するための手段】
【００１１】
上記課題を解決するために、本発明の無線基地局システムは、無線基地局と、無線基地局の設置位置を表わす第１の位置情報を無線基地局へ送信する第１のサーバと、衛星位置座標システムから受信した軌道情報をアシストデータとして無線基地局へ送信する第２のサーバと、現在の概略時刻を表わす第１の時刻情報を無線基地局へ送信する第３のサーバとを備えた無線通信システムであって、無線基地局は、第２のサーバから受信したアシストデータに基づいて、衛星位置座標システムからの軌道情報を受信し、受信した軌道情報と、第１のサーバから受信した第１の位置情報と、第３のサーバから受信した第１の時刻情報とを用いて、第１の時刻情報よりも高精度な時刻を表わす第２の時刻情報を生成するモジュールを有する。
【発明の効果】
【００１２】
本発明によれば、アシストＧＰＳモジュールを搭載する無線基地局に設置場所情報を書き込む必要が無く、またアシストＧＰＳモジュールを搭載する無線基地局の設置場所が変更された場合でも誤動作しないようにすることができる。
【図面の簡単な説明】
【００１３】
【図１】本発明の実施形態の無線基地局システムの構成を表わす図である。
【図２】本発明の実施形態の無線基地局の構成を表わす図である。
【図３】図１の無線基地局システムの全体の動作手順を表わすフローチャートである。
【発明を実施するための形態】
【００１４】
以下、本発明の実施形態について図面を参照して説明する。
図１は、本発明の実施形態の無線基地局システムの構成を表わす図である。
【００１５】
図１を参照して、この無線基地局システムは、同期して動作する複数の無線基地局２＿１〜２＿Ｎと、アシストサーバ３と、データサーバ４と、ＮＴＰ（Network Time Protocol）サーバ５とからなる。
【００１６】
複数の無線基地局２＿１〜２＿Ｎと、アシストサーバ３、データサーバ４およびＮＴＰサーバ５との間は、ネットワーク６で接続されている。
【００１７】
複数の無線基地局２＿１〜２＿Ｎは、それぞれＧＰＳモジュールによって、ＧＰＳ衛星群（３２個のＧＰＳ衛星）１に属する複数のＧＰＳ衛星からの航法メッセージ（軌道情報）を受信する。
【００１８】
データサーバ４は、無線基地局２＿１〜２＿Ｎの設置位置を表わす第１の位置情報を無線基地局２＿１〜２＿Ｎへ送信する。この第１の位置情報は、設置位置を問合せた無線基地局の設置位置を表わす情報、または設置位置を問合せた無線基地局に隣接する無線基地局の設置位置を表わす情報である。
【００１９】
アシストサーバ３は、ＧＰＳ衛星から受信した軌道情報をアシストデータとして無線基地局２＿１〜２＿Ｎへ送信する。
ＮＴＰサーバ５は、現在の正確な時刻または概略時刻を表わす第１の時刻情報を無線基地局へ送信する。ＮＴＰサーバ５がＧＰＳ衛星からの軌道情報に基づいて時刻を特定している場合には、第１の時刻情報に含まれる時刻は正確な時刻となる。
【００２０】
一方、ＮＴＰサーバ５は他のＮＴＰサーバからネットワークを通じて時刻を受信して、この時刻から第１の時刻情報を生成している場合には、受信した時刻は、ネットワークの通信環境の影響（例えば、情報の伝送時間、遅延の影響等）を受けている。これにより、第１の時刻情報に含まれる時刻は、ＧＰＳ衛星からの軌道情報に基づいて時刻を特定している場合に比べ誤差を含んでいる虞があり、正確な時刻とは異なる場合がある。そのため、この場合における第１の時刻情報に含まれる時刻は、概略時刻となる。ＮＴＰサーバ５から送信される第１の時刻情報に含まれる時刻が正確か概略かに係らず、無線基地局で受信した第１の時刻情報に含まれる時刻は概略時刻となる。第１の時刻情報はネットワークを通じてＮＴＰサーバ５から無線基地局へ伝送されるため、ネットワークの通信環境の影響（例えば、情報の伝送時間、遅延の影響等）を受けるからである。
【００２１】
（無線基地局の構成）
図２は、本発明の実施形態の無線基地局の構成を表わす図である。
【００２２】
図２を参照して、この無線基地局２は、ＧＰＳアンテナ８と、アシストＧＰＳモジュール１０と、ＮＩＣ（Network Interface Card）部１２と、ＭＳ部１４と、ＢＳ部１６と、無線アンテナ１８とを備える。
【００２３】
アシストＧＰＳモジュール１０は、ＧＰＳアンテナ８を通じて航法メッセージ（軌道情報）を受信する。航法メッセージは、これを送信したＧＰＳ衛星の軌道情報（エフェメリス）と、全ＧＰＳ衛星の軌道情報（アルマナック）とを含む。アルマナックは、全ＧＰＳ衛星のおおまかな位置情報を含む。エフェメリスは、これを送信したＧＰＳ衛星の正確な位置情報と、これを送信した時刻情報とを含む。
【００２４】
ＧＰＳモジュール１０は、アルマナックに基づいて可視位置にあるＧＰＳ衛星を選択する。ＧＰＳモジュール１０は、アシストサーバ３から受信したアシストデータに含まれるＧＰＳ衛星のエフェメリスとを用いて、選択した衛星のエフェメリスの受信感度を増加させることによって、選択した衛星のエフェメリスを受信する。ＧＰＳモジュール１０は、自局で受信した４個の衛星のエフェメリスと、データサーバ４から受信した第１の位置情報と、ＮＴＰサーバ５から受信した第１の時刻情報を用いて、第１の時刻情報よりも高精度な基準時刻信号ＴＰ（第２の時刻情報）と、自局の設置位置を表わす位置情報（第２の位置情報）を生成する。
【００２５】
ＭＳ部１４は、端末としての機能を実行する。ＭＳ部１４は、他の基地局からの信号を受信したときには、受信した信号に含まれるその基地局のＩＤを隣接基地局のＩＤとしてＮＩＣ部１２へ出力する。
【００２６】
ＢＳ部１６は、基地局としての機能を実行する。ＢＳ部１６は、ＮＩＣ部１２に自局のＩＤを出力する。
【００２７】
無線アンテナ１８は、無線信号を受信してＭＳ部１４へ出力する。無線アンテナ１８は、ＢＳ部１６からの無線信号を受けて、端末へ送信する。
【００２８】
ＮＩＣ部１２は、アシストサーバ３からアシストデータを受信する。ＮＩＣ部１２は、ＮＴＰサーバ５から第１の時刻情報を受信する。ＮＩＣ部１２は、データサーバ４から第１の位置情報を受信する。また、ＮＩＣ部１２は、自局のＩＤを第１の装置のＩＤとして、隣接基地局のＩＤを第２の装置のＩＤとしてデータサーバ４へ送信する。
【００２９】
データサーバ４は、ＮＩＣ部２０と、位置管理部２２と、設置場所情報記憶部２４とを備える。
【００３０】
ＮＩＣ部２０は、無線基地局２から第１の装置のＩＤと第２の装置のＩＤを受信する。ＮＩＣ部２０は、第１の装置のＩＤと第２の装置のＩＤを送信した無線基地局２へ第１の位置情報を送信する。
【００３１】
設置場所情報記憶部２４は、無線基地局ごとに設置位置を表わす情報を記憶する。
位置管理部２２は、設置場所情報記憶部２４に第１の装置の設置位置を表わす情報が登録されておらず、第２の装置の設置位置を表わす情報が登録されている場合には、第２の装置の設置位置を表わす情報を第１の位置情報として特定する。このように、第１の装置の位置が登録されていない場合が生じるのは、たとえば第１の装置を設置して基地局として稼動させた直後には、まだ設置位置を表わす情報が登録されていないことがあるからである。
【００３２】
また、第１の装置の設置位置の代りに第２の装置の設置位置を使用するのは、ＧＰＳモジュール１０で使用する第１の装置の位置情報は高精度のものが要求されないので、その基地局に隣接する基地局の設置位置で代用することが可能であるからである。
【００３３】
位置管理部２２は、設置場所情報記憶部２４に第１の装置の設置位置を表わす情報と第２の装置の設置位置を表わす情報とが登録されているときに、第１の装置の設置位置と第２の装置の設置位置の距離が所定値以下の場合には、第１の装置の設置位置を表わす情報を第１の位置情報として特定する。ただし、所定値として、たとえば３０ｋｍとする。これは、第１の装置と第２の装置が近接しているときには、第１の装置（すなわち、第１の装置のＩＤと第２の装置のＩＤを送信した無線基地局）は設置場所が変更されておらず、第１の装置の現在の実際の位置と設置場所情報記憶部２４に記憶されている第１の装置の設置位置とが一致していると考えることができるからである。なお、第２の装置（第１の装置の隣接基地局）については、設置場所情報記憶部２４に現在の実際の位置が登録されているものとする。第２の装置（第１の装置の隣接基地局）については、設置場所に変更があった場合にも、変更後の設置位置が設置場所情報記憶部２４に登録されているものとする。
【００３４】
位置管理部２２は、設置場所情報記憶部２４に第１の装置の設置位置を表わす情報と第２の装置の設置位置を表わす情報とが登録されているときに、第１の装置の設置位置と第２の装置の設置位置の距離が所定値を超える場合には、第２の装置の設置位置を表わす情報を第１の位置情報として特定する。これは、本来第１の装置と第２の装置は近接しているはずであるのに、第１の装置と第２の装置とが離れているときには、第１の装置（すなわち、第１の装置のＩＤと第２の装置のＩＤを送信した無線基地局）は設置場所が変更されており、第１の装置の現在の実際の位置と設置場所情報記憶部２４に記憶されている第１の装置の設置位置とが一致していないと考えることができるからである。
【００３５】
位置管理部２２は、無線基地局２から第２の位置情報を受信したときに、その無線基地局２の設置位置を表わす情報が設置場所情報記憶部２４に登録されていない場合には、第２の位置情報を設置位置を表わす情報として登録し、その無線基地局２の設置位置を表わす情報がまだ設置場所情報記憶部２４に登録されている場合には、受信した第２の位置情報で設置位置を表わす情報を更新する。
【００３６】
（全体動作）
図３は、図１の無線基地局システムの全体の動作手順を表わすフローチャートである。
【００３７】
まず、無線基地局２が起動後、ＭＳ部１４は、隣接する無線基地局が送信する信号から隣接する無線基地局のＩＤを取得する（ステップＳ１０１）。
【００３８】
次に、ＭＳ部１４は、取得した隣接無線基地局のＩＤをＮＩＣ部１２に出力する。ＢＳ部１６は、自局（自装置）のＩＤをＮＩＣ部１２に出力する。ＮＩＣ部１２は、ネットワークを通じてデータサーバ４へ自局のＩＤを第１の装置のＩＤとして、隣接基地局のＩＤを第２の装置のＩＤとして含む位置通知要求を送信する（ステップＳ１０２）。
【００３９】
また、無線基地局２のＮＩＣ部１２は、ネットワークを通じてＮＴＰサーバ５へ第１の時刻情報を問合せ（ステップＳ１０３）、ネットワークを通じてＮＴＰサーバ５から第１の時刻情報を受信する（ステップＳ１０４）。
【００４０】
また、無線基地局２のＮＩＣ部１２は、ネットワークを通じてアシストサーバ３へアシストデータを問い合わせ（ステップＳ１０５）、ネットワークを通じてアシストサーバ３からアシストデータを受信する（ステップＳ１０６）。
【００４１】
データサーバ４のＮＩＣ部２０は、位置通知要求を受信する。
位置管理部２２は、設置場所情報記憶部２４から第２の装置の設置位置を表わす情報を読出す（ステップＳ１０８）。
【００４２】
位置管理部２２は、設置場所情報記憶部２４に第１の装置の設置位置を表わす情報が存在しない場合（ステップＳ１０９でＹＥＳ）、ステップＳ１０８で読み出した第２の装置の設置位置を表わす情報を第１の位置情報に設定する（ステップＳ１１０）。
【００４３】
位置管理部２２は、設置場所情報記憶部２４に第１の装置の設置位置を表わす情報が存在する場合には（ステップＳ１０９でＮＯ）、第１の装置の設置位置を表わす情報を読出す（ステップＳ１１１）。
【００４４】
位置管理部２２は、第１の装置の設置位置と第２の装置の設置位置との距離が３０ｋｍを超える場合には（ステップＳ１１２でＮＯ）、ステップＳ１０８で読み出した第２の装置の設置位置を表わす情報を第１の位置情報に設定する（ステップＳ１１０）。位置管理部２２は、第１の装置の設置位置と第２の装置の設置位置との距離が３０ｋｍ以内の場合には（ステップＳ１１２でＹＥＳ）、ステップＳ１１１で読み出した第１の装置の設置位置を表わす情報を第１の位置情報に設定する（ステップＳ１１３）。
【００４５】
データサーバ４のＮＩＣ部２０は、設定された第１の位置情報を含む位置回答を無線基地局２へ送信する（ステップＳ１１４）。
【００４６】
無線基地局２のＮＩＣ部１２は、第１の位置情報を含む位置回答を受信する（ステップＳ１１５）。
【００４７】
次に、ＧＰＳモジュール１０は、アルマナックに基づいて可視位置にあるＧＰＳ衛星を選択する。ＧＰＳモジュール１０は、アシストサーバ３から受信したアシストデータに含まれるＧＰＳ衛星のエフェメリスとを用いて、選択した衛星のエフェメリスの受信感度を増加させることによって、選択した衛星のエフェメリスを受信する（ステップＳ１１６）。
【００４８】
次に、ＧＰＳモジュール１０は、自局で受信した４個の衛星のエフェメリスと、データサーバ４から受信した第１の位置情報と、ＮＴＰサーバ５から受信した第１の時刻情報を用いて、第１の時刻情報よりも高精度な基準時刻信号ＴＰ（第２の時刻情報）と、自局の設置位置を表わす位置情報（第２の位置情報）を生成する（ステップＳ１１７）。
【００４９】
無線基地局２のＮＩＣ部１２は、第２の位置情報をデータサーバ４へ送信する（ステップＳ１１８）。
【００５０】
無線基地局２は、基準時刻信号１ＰＰＳのタイミングに従って、通信処理を行なう（ステップＳ１１９）。
【００５１】
データサーバ４のＮＩＣ部２０は、第２の位置情報を受信する（ステップＳ１２０）。
データサーバ４の位置管理部２２は、受信した第２の位置情報に基づいて、設置場所情報記憶部２４内の無線基地局２の設置位置を表わす情報を作成または更新する（ステップＳ１２１）。
【００５２】
以上のように、本実施の形態の無線基地局システムによれば、アシストＧＰＳ機能を搭載する無線基地局に設置場所情報を書き込む必要が無く、またアシストＧＰＳ機能を搭載する無線基地局の設置場所が変更された場合でも誤動作しない。
【００５３】
（変形例）
本発明は、上記の実施形態に限定されるものではなく、たとえば以下のような変形例も含む。
【００５４】
（１）  位置の管理
本発明の実施形態では、設置場所情報記憶部２４に第１の装置の設置位置を表わす情報と第２の装置の設置位置を表わす情報が登録されている場合に、データサーバ４側でいずれを無線基地局２へ送信するかを決定したが、これに限定するものではない。
【００５５】
データサーバ４は、第１の装置の設置位置を表わす情報と第２の装置の設置位置を表わす情報の両方を無線基地局２へ送信し、無線基地局２側でいずれを用いるかを決定することとしてもよい。
【００５６】
すなわち、この場合、位置管理部２２は、設置場所情報記憶部２４に第１の装置の設置位置を表わす情報が登録されている場合には、第１の装置の設置位置を表わす情報を読みして、ＮＩＣ部２０が無線基地局２へ返信する。位置管理部２２は、設置場所情報記憶部２４に第２の装置の設置位置を表わす情報が登録されている場合には、第２の設置位置を表わす情報を読み出して、ＮＩＣ部２０が無線基地局２へ返信する。
【００５７】
無線基地局２のＧＰＳモジュール１０は、第１の装置の設置位置を表わす情報を受信せず、第２の装置の設置位置を表わす情報を受信した場合には、第２の装置の設置位置を表わす第１の位置情報として用いる。ＧＰＳモジュール１０は、第１の装置の設置位置を表わす情報と第２の装置の設置位置を表わす情報とを受信したときに、第１の装置の設置位置と第２の装置の設置位置の距離が所定値以下の場合には、第１の装置の設置位置を表わす情報を第１の位置情報として用いる。ＧＰＳモジュール１０は、第１の装置の設置位置を表わす情報と第２の装置の設置位置を表わす情報とを受信したときに、第１の装置の設置位置と第２の装置の設置位置の距離が所定値を超える場合には、第２の装置の設置位置を表わす情報を第１の位置情報として用いる。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５９】
１  ＧＰＳ衛星群、２＿１〜２＿Ｎ  無線基地局、３  アシストサーバ、４  データサーバ、５  ＮＴＰサーバ、６  ネットワーク、８  ＧＰＳアンテナ、１０  ＧＰＳモジュール、１２，２０  ＮＩＣ部、１４  ＭＳ部、１６  ＢＳ部、１８  無線アンテナ、２２  位置管理部、２４  設置場所情報記憶部。
【図１】
2013030917.tif 000003
【図２】
2013030917.tif 000004
【図３】
2013030917.tif 000005